(57)【要約】【課題】車両の使用状況に応じて回転電機の絶縁性能の低下を抑制する。【解決手段】ＨＶ−ＥＣＵは、基準温度に対応する熱履歴を積算するステップ（Ｓ１００）と、寿命予測を実行する予め定められた条件が成立すると（Ｓ１０２にてＹＥＳ）、走行寿命距離を予測するステップ（Ｓ１０４）と、走行寿命が走行保証距離を下回ると（Ｓ１０６にてＮＯ）、負荷低減処理を実行するステップ（Ｓ１０８）とを含む、プログラムを実行する。【選択図】図５
2009095143.tif 000002
【特許請求の範囲】
【請求項１】
少なくとも回転電機を駆動源とする車両の制御装置であって、
前記回転電機のコイル温度を検出するための手段と、
前記車両の走行距離を検出するための手段と、
前記検出されたコイル温度に基づく熱履歴を、予め定められた温度を基準とする熱履歴に変換するための手段と、
前記検出された走行距離と前記変換された熱履歴とに基づいて前記車両の走行距離の上限を予測するための予測手段と、
前記予測された走行距離の上限が予め定められた走行距離よりも低いと前記回転電機の負荷が低下するように前記回転電機を制御するための制御手段とを含む、車両の制御装置。
【請求項２】
エンジンと前記エンジンの作動に関連して作動する回転電機とが搭載された車両の制御装置であって、
前記回転電機のコイル温度を検出するための手段と、
前記車両の走行距離を検出するための手段と、
前記検出されたコイル温度に基づく熱履歴を、予め定められた温度を基準とする熱履歴に変換するための手段と、
前記検出された走行距離と前記変換された熱履歴とに基づいて前記車両の走行距離の上限を予測するための予測手段と、
前記予測された走行距離の上限が予め定められた走行距離よりも低いと前記回転電機の負荷が低下するように前記エンジンおよび前記回転電機のうちの少なくともいずれか一方を制御するための制御手段とを含む、車両の制御装置。
【請求項３】
前記車両は、前記エンジンの出力軸に連結され、前記エンジンの動力に基づいて発電する前記回転電機と、前記エンジンの動力を前記車両の車輪軸に伝達する動力分割機構とを含み、前記動力分割機構は、入力された前記エンジンの動力を、前記車輪軸への駆動力または前記回転電機への動力に分割し、
前記エンジンは、トルクと回転数とが予め定められた最適燃費線に沿って変化するように制御され、
前記制御手段は、出力を保持しつつ、前記最適燃費線よりも低トルク側になるように前記エンジンを制御するための手段を含む、請求項２に記載の車両の制御装置。
【請求項４】
前記制御手段は、出力が低下するように前記回転電機を制御するための手段を含む、請求項１〜３のいずれかに記載の車両の制御装置。
【請求項５】
前記回転電機は、前記検出されたコイル温度に応じて前記回転電機に対する負荷が制限され、
前記制御手段は、前記回転電機に対する負荷の制限を開始するコイル温度が低下するように前記回転電機を制御するための手段を含む、請求項１〜４のいずれかに記載の車両の制御装置。
【請求項６】
前記予測手段は、前記予め定められた温度を基準とする前記回転電機の絶縁性能の熱履歴の上限と前記変換された熱履歴と前記検出された走行距離とに基づいて前記車両の走行距離の上限を予測するための手段を含む、請求項１〜５のいずれかに記載の車両の制御装置。
【請求項７】
少なくとも回転電機を駆動源とする車両の制御方法であって、
前記回転電機のコイル温度を検出するステップと、
前記車両の走行距離を検出するステップと、
前記検出されたコイル温度に基づく熱履歴を、予め定められた温度を基準とする熱履歴に変換するステップと、
前記検出された走行距離と前記変換された熱履歴とに基づいて前記車両の走行距離の上限を予測する予測ステップと、
前記予測された走行距離の上限が予め定められた走行距離よりも低いと前記回転電機の負荷が低下するように前記回転電機を制御する制御ステップとを含む、車両の制御方法。
【請求項８】
エンジンと前記エンジンの作動に関連して作動する回転電機とが搭載された車両の制御方法であって、
前記回転電機のコイル温度を検出するステップと、
前記車両の走行距離を検出するステップと、
前記検出されたコイル温度に基づく熱履歴を、予め定められた温度を基準とする熱履歴に変換するステップと、
前記検出された走行距離と前記変換された熱履歴とに基づいて前記車両の走行距離の上限を予測する予測ステップと、
前記予測された走行距離の上限が予め定められた走行距離よりも低いと前記回転電機の負荷が低下するように前記エンジンおよび前記回転電機のうちの少なくともいずれか一方を制御する制御ステップとを含む、車両の制御方法。
【請求項９】
前記車両は、前記エンジンの出力軸に連結され、前記エンジンの動力に基づいて発電する前記回転電機と、前記エンジンの動力を前記車両の車輪軸に伝達する動力分割機構とを含み、前記動力分割機構は、入力された前記エンジンの動力を、前記車輪軸への駆動力または前記回転電機への動力に分割し、
前記エンジンは、トルクと回転数とが予め定められた最適燃費線に沿って変化するように制御され、
前記制御ステップは、出力を保持しつつ、前記最適燃費線よりも低トルク側になるように前記エンジンを制御するステップを含む、請求項８に記載の車両の制御方法。
【請求項１０】
前記制御ステップは、出力が低下するように前記回転電機を制御するステップを含む、請求項７〜９のいずれかに記載の車両の制御方法。
【請求項１１】
前記回転電機は、前記検出されたコイル温度に応じて前記回転電機に対する負荷が制限され、
前記制御ステップは、前記回転電機に対する負荷の制限を開始するコイル温度が低下するように前記回転電機を制御するステップを含む、請求項７〜１０のいずれかに記載の車両の制御方法。
【請求項１２】
前記予測ステップは、前記予め定められた温度を基準とする前記回転電機の絶縁性能の熱履歴の上限と前記変換された熱履歴と前記検出された走行距離とに基づいて前記車両の走行距離の上限を予測するステップを含む、請求項７〜１１のいずれかに記載の車両の制御方法。
【請求項１３】
請求項７〜１２のいずれかに記載の車両の制御方法をコンピュータで実現されるプログラム。
【請求項１４】
請求項７〜１２のいずれかに記載の車両の制御方法をコンピュータで実現されるプログラムを記録した記録媒体。
【発明の詳細な説明】
【技術分野】
【０００１】
本発明は、エンジンおよび回転電機が搭載される車両の制御に関し、特に車両の使用状況に応じて回転電機の絶縁性能の低下を抑制する技術に関する。
【背景技術】
【０００２】
近年、環境問題対策の１つとして、エンジンとモータとを駆動源とするハイブリッド車両が注目されている。このようなハイブリッド車両に搭載された回転電機において絶縁性能の経年劣化は避けられない。そのため、少なくとも予め定められた距離の走行が保証されるように回転電機の絶縁性能が確保される。
【０００３】
しかしながら、たとえば、ハイブリッド車両が登坂走行、けん引走行あるいはサーキット走行等の加減速を多用する走行あるいは急発進を繰り返す走行が頻繁に行なわれるなど車両の使用状況においては、回転電機への負荷が高く、コイル温度が上昇した状態が継続する。そのため、回転電機に対して熱履歴が蓄積して、絶縁性能の劣化の進行が速くなる可能性がある。
【０００４】
電気機器の劣化の度合を精度高く推定する技術として、たとえば、特開２００２−３６７８４２号公報（特許文献１）は、電気機器に用いるコイル絶縁紙の劣化度を、電気機器の運転温度を考慮したより正確な評価ができるようにして、電気機器の寿命をより正確に診断する劣化度評価方法を開示する。この劣化度評価方法は、電気機器からコイル絶縁紙の試料を採取し、採取した試料の平均重合度残率の測定値から劣化度を評価するコイル絶縁紙の劣化度評価方法であって、評価基準温度におけるコイル絶縁紙の平均重合度残率と引張強さ残率との第１の関係、及び電気機器が使用される温度におけるコイル絶縁紙の平均重合度残率と引張強さ残率との第２の関係を求め、採取した試料の平均重合度残率の測定値を第２の関係にあてはめて引張強さ残率を求め、第１の関係において、求めた引張強さ残率の値における平均重合度残率の値を求め、求めた平均重合度残率の値を換算平均重合度残率として、換算平均重合度残率でコイル絶縁紙の劣化度を評価することを特徴とする。
【０００５】
上述した公報に開示された劣化評価方法によると、コイル絶縁紙の劣化度を、電気機器の運転温度を考慮してより正確な評価ができるようになり、電気機器の寿命をより正確に診断することができる。
【特許文献１】特開２００２−３６７８４２号公報
【発明の開示】
【発明が解決しようとする課題】
【０００６】
しかしながら、上述した公報に開示された劣化評価方法においては、電気機器の運転温度を考慮して劣化度を正確に評価しているに過ぎないため、回転電機の絶縁性能の低下を抑制することができない。そのため、車両の使用状況によっては、保証された走行距離に到達する前に回転電機の絶縁性能が劣化するという問題を解決することができない。
【０００７】
本発明は、上述した課題を解決するためになされたものであって、その目的は、車両の使用状況に応じて回転電機の絶縁性能の低下を抑制する車両の制御装置、制御方法およびその方法をコンピュータで実現されるプログラムならびにそのプログラムを記録した記録媒体を提供することである。
【課題を解決するための手段】
【０００８】
第１の発明に係る車両の制御装置は、少なくとも回転電機を駆動源とする車両の制御装置である。この制御装置は、回転電機のコイル温度を検出するための手段と、車両の走行距離を検出するための手段と、検出されたコイル温度に基づく熱履歴を、予め定められた温度を基準とする熱履歴に変換するための手段と、検出された走行距離と変換された熱履歴とに基づいて車両の走行距離の上限を予測するための予測手段と、予測された走行距離の上限が予め定められた走行距離よりも低いと回転電機の負荷が低下するように回転電機を制御するための制御手段とを含む。第７の発明に係る車両の制御方法は、第１の発明に係る車両の制御装置と同様の構成を有する。
【０００９】
第１の発明によると、検出されたコイル温度に基づく熱履歴を、予め定められた温度を基準とする熱履歴に変換することにより、コイル温度が予め定められた温度であるときの回転電機の使用期間を算出することができる。検出された走行距離と変換された熱履歴とにより現在までの走行距離に対する熱履歴の蓄積の度合を算出することができる。回転電機において予め定められた温度を基準とする熱履歴の上限値は予め定まる。そのため、検出された走行距離に対する熱履歴の蓄積の度合と熱履歴の上限値とに基づいて車両の走行距離の上限を予測することができる。予測された走行距離の上限が予め定められた走行距離よりも低いと回転電機の負荷が低下するように回転電機を制御することにより、コイル温度の上昇を抑制することができる。そのため、熱履歴の蓄積の度合を減少することができる。これにより、走行距離に対する熱履歴の蓄積の度合が減少して、回転電機の絶縁性能の低下を抑制することができる。したがって、車両の使用状況に応じて回転電機の絶縁性能の低下を抑制する車両の制御装置および制御方法を提供することができる。
【００１０】
第２の発明に係る車両の制御装置は、エンジンとエンジンの作動に関連して作動する回転電機とが搭載された車両の制御装置である。この制御装置は、回転電機のコイル温度を検出するための手段と、車両の走行距離を検出するための手段と、検出されたコイル温度に基づく熱履歴を、予め定められた温度を基準とする熱履歴に変換するための手段と、検出された走行距離と変換された熱履歴とに基づいて車両の走行距離の上限を予測するための予測手段と、予測された走行距離の上限が予め定められた走行距離よりも低いと回転電機の負荷が低下するようにエンジンおよび回転電機のうちの少なくともいずれか一方を制御するための制御手段とを含む。第８の発明に係る車両の制御方法は、第２の発明に係る車両の制御装置と同様の構成を有する。
【００１１】
第２の発明によると、検出されたコイル温度に基づく熱履歴を、予め定められた温度を基準とする熱履歴に変換することにより、コイル温度が予め定められた温度であるときの回転電機の使用期間を算出することができる。検出された走行距離と変換された熱履歴とにより現在までの走行距離に対する熱履歴の蓄積の度合を算出することができる。回転電機において予め定められた温度を基準とする熱履歴の上限値は予め定まる。そのため、検出された走行距離に対する熱履歴の蓄積の度合と熱履歴の上限値とに基づいて車両の走行距離の上限を予測することができる。予測された走行距離の上限が予め定められた走行距離よりも低いと回転電機の負荷が低下するようにエンジンおよび回転電機のうちの少なくともいずれか一方を制御することにより、コイル温度の上昇を抑制することができる。そのため、熱履歴の蓄積の度合を減少することができる。これにより、走行距離に対する熱履歴の蓄積の度合が減少して、回転電機の絶縁性能の低下を抑制することができる。したがって、車両の使用状況に応じて回転電機の絶縁性能の低下を抑制する車両の制御装置および制御方法を提供することができる。
【００１２】
第３の発明に係る車両の制御装置においては、第２の発明の構成に加えて、車両は、エンジンの出力軸に連結され、エンジンの動力に基づいて発電する回転電機と、エンジンの動力を車両の車輪軸に伝達する動力分割機構とを含む。動力分割機構は、入力されたエンジンの動力を、車輪軸への駆動力または回転電機への動力に分割する。エンジンは、トルクと回転数とが予め定められた最適燃費線に沿って変化するように制御される。制御手段は、出力を保持しつつ、最適燃費線よりも低トルク側になるようにエンジンを制御するための手段を含む。第９の発明に係る車両の制御方法は、第３の発明に係る車両の制御装置と同様の構成を有する。
【００１３】
第３の発明によると、出力を保持しつつ、最適燃費線よりも低トルク側になるようにエンジンを制御することにより、エンジンによる回転電機の発電量が減少されるため、回転電機における負荷が低減される。そのため、コイル温度の上昇が抑制されるため、走行距離に対する熱履歴の蓄積の度合が減少する。これにより、回転電機の絶縁性能の低下を抑制することができる。
【００１４】
第４の発明に係る車両の制御装置においては、第１〜３のいずれかの発明の構成に加えて、制御手段は、出力が低下するように回転電機を制御するための手段を含む。第１０の発明に係る車両の制御方法は、第４の発明に係る車両の制御装置と同様の構成を有する。
【００１５】
第４の発明によると、回転電機の出力が低下するように制御されることにより、回転電機における負荷が低減される。そのため、コイル温度の上昇を抑制することができるため、走行距離に対する熱履歴の蓄積の度合が減少する。これにより、回転電機の絶縁性能の低下を抑制することができる。
【００１６】
第５の発明に係る車両の制御装置においては、第１〜４のいずれかの発明の構成に加えて、回転電機は、検出されたコイル温度に応じて回転電機に対する負荷が制限される。制御手段は、回転電機に対する負荷の制限を開始するコイル温度が低下するように回転電機を制御するための手段を含む。第１１の発明に係る車両の制御方法は、第５の発明に係る車両の制御装置と同様の構成を有する。
【００１７】
第５の発明によると、回転電機に対する負荷の制限を開始するコイル温度が低下するように回転電機を制御することにより、回転電機に負荷が増加してコイル温度が上昇したときに早期に回転電機の負荷の制限を開始することができる。そのため、回転電機における負荷が低減されて、コイル温度の上昇が抑制される。これにより、走行距離に対する熱履歴の蓄積の度合が減少するため、回転電機の絶縁性能の低下を抑制することができる。
【００１８】
第６の発明に係る車両の制御装置においては、第１〜５のいずれかの発明の構成に加えて、予測手段は、予め定められた温度を基準とする回転電機の絶縁性能の熱履歴の上限と変換された熱履歴と検出された走行距離とに基づいて車両の走行距離の上限を予測するための手段を含む。第１２の発明に係る車両の制御方法は、第６の発明に係る車両の制御装置と同様の構成を有する。
【００１９】
第６の発明によると、検出された走行距離と変換された熱履歴とにより現在までの走行距離に対する熱履歴の蓄積の度合を算出することができる。そのため、検出された走行距離に対する履歴の蓄積の度合と回転電機の絶縁性能の熱履歴の上限値とに基づいて車両の走行距離の上限を予測することができる。
【００２０】
第１３の発明に係るプログラムは、第７〜１２のいずれかの発明に係る車両の制御方法をコンピュータで実現されるプログラムであって、第１４の発明に係る記録媒体は、第７〜１２のいずれかの発明に係る車両の制御方法をコンピュータで実現されるプログラムを記録した媒体である。
【００２１】
第１３または第１４の発明によると、コンピュータ（汎用でも専用でもよい）を用いて、第７〜１２のいずれかの発明に係る車両の制御方法を実現することができる。
【発明を実施するための最良の形態】
【００２２】
以下、図面を参照しつつ、本発明の実施の形態について説明する。以下の説明では、同一の部品には同一の符号を付してある。それらの名称および機能も同じである。したがってそれらについての詳細な説明は繰り返さない。
【００２３】
＜第１の実施の形態＞
図１を参照して、本発明の実施の形態に係る制御装置が適用されるハイブリッド車両の制御ブロック図を説明する。
【００２４】
ハイブリッド車両は、駆動源としての、たとえばガソリンエンジンやディーゼルエンジン等の内燃機関（以下、単にエンジンという）１２０と、回転電機であるモータジェネレータ（ＭＧ）１４０を含む。なお、図１においては、説明の便宜上、モータジェネレータ１４０を、モータ１４０Ａとジェネレータ１４０Ｂ（あるいはモータジェネレータ１４０Ｂ）と表現するが、ハイブリッド車両の走行状態に応じて、モータ１４０Ａがジェネレータとして機能したり、ジェネレータ１４０Ｂがモータとして機能したりする。
【００２５】
エンジン１２０の吸気通路１２２には、吸入空気のほこりを捕捉するエアクリーナー１２２Ａ、エアクリーナー１２２Ａを通ってエンジン１２０に吸入される空気量を検知するエアフローメータ１２２Ｂ、エンジン１２０に吸入される空気量を調整するためのバルブである電子スロットルバルブ１２２Ｃが設けられている。電子スロットルバルブ１２２Ｃにはスロットルポジションセンサが設けられている。エンジンＥＣＵ２８０には、エアフローメータ１２２Ｂにより検知された吸入空気量や、スロットルポジションセンサにより検知された電子スロットルバルブ１２２Ｃの開度等が入力される。
【００２６】
エンジン１２０には、複数の気筒および各気筒に燃料を噴射する燃料噴射装置１３０が設けられる。燃料噴射装置１３０は、エンジンＥＣＵ２８０からの燃料噴射制御信号に基づいて各気筒に対して適切な時期に適切な量の燃料を噴射する。
【００２７】
また、エンジン１２０の排気通路１２４には、三元触媒コンバータ１２４Ｂと、三元触媒コンバータ１２４Ｂに導入される排気における空燃比（Ａ／Ｆ）を検知する空燃比センサ１２４Ａと、三元触媒コンバータ１２４Ｂの温度を検知する触媒温度センサ１２４Ｃと、消音器１２４Ｄとが設けられている。エンジンＥＣＵ（Electronic Control Unit）２８０には、空燃比センサ１２４Ａにより検知された三元触媒コンバータ１２４Ｂに導入される排気の空燃比や、触媒温度センサ１２４Ｃにより検知された三元触媒コンバータ１２４Ｂの温度等が入力される。
【００２８】
なお、空燃比センサ１２４Ａは、エンジン１２０で燃焼された混合気の空燃比に比例した出力電圧を発生する全域空燃比センサ（リニア空燃比センサ）である。本実施の形態において、空燃比センサ１２４Ａは、検出素子を有し、エンジン１２０の排出ガスの検出素子への接触によりエンジン１２０の空燃比に対応した信号を出力する。なお、空燃比センサ１２４Ａとしては、エンジン１２０で燃焼された混合気の空燃比が理論空燃比に対してリッチであるかリーンであるかをオン−オフ的に検出するＯ２センサを用いてもよい。
【００２９】
また、エンジンＥＣＵ２８０には、エンジン１２０の冷却水の温度を検知する水温検知センサ３６０からエンジン冷却水温を示す信号が入力される。エンジン１２０の出力軸には、クランクポジションセンサ３８０が設けられており、エンジンＥＣＵ２８０には、クランクポジションセンサ３８０から出力軸の回転数を示す信号が入力される。
【００３０】
ハイブリッド車両には、この他に、エンジン１２０やモータジェネレータ１４０で発生した動力を駆動輪１６０に伝達したり、駆動輪１６０の駆動をエンジン１２０やモータジェネレータ１４０に伝達する減速機１８０と、エンジン１２０の発生する動力を駆動輪１６０とジェネレータ１４０Ｂとの２経路に分配する動力分割機構（たとえば、遊星歯車機構）２００と、モータジェネレータ１４０を駆動するための電力を充電する走行用バッテリ２２０と、走行用バッテリ２２０の直流とモータ１４０Ａおよびジェネレータ１４０Ｂの交流とを変換しながら電流制御を行なうインバータ２４０と、走行用バッテリ２２０の充放電状態を管理制御するバッテリ制御ユニット（以下、バッテリＥＣＵという）２６０と、エンジン１２０の動作状態を制御するエンジンＥＣＵ２８０と、ハイブリッド車両の状態に応じてモータジェネレータ１４０およびバッテリＥＣＵ２６０、インバータ２４０等を制御するＭＧ−ＥＣＵ３００と、バッテリＥＣＵ２６０、エンジンＥＣＵ２８０およびＭＧ−ＥＣＵ３００等を相互に管理制御して、ハイブリッド車両が最も効率よく運行できるようにハイブリッドシステム全体を制御するＨＶ−ＥＣＵ３２０等を含む。なお、走行用バッテリではなくキャパシタ等の蓄電機構であってもよい。
【００３１】
本実施の形態においては、走行用バッテリ２２０とインバータ２４０との間にはコンバータ２４２が設けられている。これは、走行用バッテリ２２０の定格電圧が、モータ１４０Ａやモータジェネレータ１４０Ｂの定格電圧よりも低いので、走行用バッテリ２２０からモータ１４０Ａやモータジェネレータ１４０Ｂに電力を供給するときには、コンバータ２４２で電力を昇圧する。このコンバータ２４２には平滑コンデンサが内蔵されており、コンバータ２４２が昇圧動作を行なう際には、この平滑コンデンサに電荷が蓄えられる。
【００３２】
なお、図１においては、各ＥＣＵを別構成しているが、２個以上のＥＣＵを統合したＥＣＵとして構成してもよい（たとえば、図１に、点線で示すように、ＭＧ−ＥＣＵ３００とＨＶ−ＥＣＵ３２０とを統合したＥＣＵとすることがその一例である）。
【００３３】
運転席にはアクセルペダル（図示せず）が設けられており、アクセルポジションセンサ（図示せず）は、アクセルペダルの踏込み量を検知する。アクセルポジションセンサは、アクセルペダルの踏込み量を示す信号をＨＶ−ＥＣＵ３２０に出力する。ＨＶ−ＥＣＵ３２０は、踏込み量に対応する要求駆動力に応じて、モータ１４０Ａ、ジェネレータ１４０ＢおよびエンジンＥＣＵ２８０を介してエンジン１２０の出力あるいは発電量を制御する。
【００３４】
さらに、車速センサ３３０は、車両の速度に関連した物理量を検出するセンサである。「車両の速度に関連した物理量」とは、たとえば、車輪軸の回転数であってもよいし、トランスミッションの出力軸の回転数であってもよい。車速センサ３３０は、検出した物理量をエンジンＥＣＵ２８０に送信する。
【００３５】
動力分割機構２００は、エンジン１２０の動力を、駆動輪１６０とモータジェネレータ１４０Ｂとの両方に振り分けるために、遊星歯車機構（プラネタリーギヤ）が使用される。モータジェネレータ１４０Ｂの回転数を制御することにより、動力分割機構２００は無段変速機としても機能する。
【００３６】
図１に示すようなハイブリッドシステムを搭載するハイブリッド車両においては、発進時や低速走行時等であってエンジン１２０の効率が悪い場合には、モータジェネレータ１４０のモータ１４０Ａのみによりハイブリッド車両の走行を行ない、通常走行時には、たとえば動力分割機構２００によりエンジン１２０の動力を２経路に分け、一方で駆動輪１６０の直接駆動を行ない、他方でジェネレータ１４０Ｂを駆動して発電を行なう。この時、発生する電力でモータ１４０Ａを駆動して駆動輪１６０の駆動補助を行なう。また、高速走行時には、さらに走行用バッテリ２２０からの電力をモータ１４０Ａに供給してモータ１４０Ａの出力を増大させて駆動輪１６０に対して駆動力の追加を行なう。
【００３７】
一方、減速時には、駆動輪１６０により従動するモータ１４０Ａがジェネレータとして機能して回生発電を行ない、回収した電力を走行用バッテリ２２０に蓄える。なお、走行用バッテリ２２０の充電量が低下し、充電が特に必要な場合には、エンジン１２０の出力を増加してジェネレータ１４０Ｂによる発電量を増やして走行用バッテリ２２０に対する充電量を増加する。もちろん、低速走行時でも必要に応じてエンジン１２０の駆動力を増加する制御を行なう場合もある。たとえば、上述のように走行用バッテリ２２０の充電が必要な場合や、エアコン等の補機を駆動する場合や、エンジン１２０の冷却水の温度を所定温度まで上げる場合等である。
【００３８】
さらに、図１に示すようなハイブリッドシステムを搭載するハイブリッド車両においては、車両の運転状態や走行用バッテリ２２０の状態によっては、燃費を向上させるために、エンジン１２０を停止させる。そして、その後も車両の運転状態や走行用バッテリ２２０の状態を検知して、エンジン１２０を再始動させる。このように、このエンジン１２０は間欠運転され、従来の車両（エンジンしか搭載していない車両）においては、イグニッションスイッチがＳＴＡＲＴ位置にまで回されてエンジンが始動すると、イグニッションスイッチがＯＮ位置からＡＣＣ位置またはＯＦＦ位置にされるまでエンジンが停止しない点で異なる。
【００３９】
コイル温度センサ３７０は、ジェネレータ（ＭＧ（１））１４０Ｂのコイル温度を検出する。コイル温度センサ３７０は、ジェネレータ１４０Ｂのコイル温度に対応する信号をＨＶ−ＥＣＵ３２０に送信する。
【００４０】
なお、ジェネレータ１４０Ｂのコイル温度に対応する信号は、ＭＧ−ＥＣＵ３００を経由してＨＶ−ＥＣＵ３２０に入力されるようにしてもよい。また、コイル温度センサ３７０は、たとえば、サーミスタである。
【００４１】
以上のような構成を有するハイブリッド車両において、本発明は、ＨＶ−ＥＣＵ３２０が、車両に搭載され、エンジン１２０の作動に関連して作動するジェネレータ１４０Ｂのコイル温度の熱履歴を、予め定められた温度を基準とする熱履歴に変換して、車両の走行距離と変換された熱履歴に基づいて走行距離の上限を予測して、予測された走行距離の上限が予め定められた走行距離よりも低いとジェネレータ１４０Ｂの負荷が低下するようにエンジン１２０およびモータジェネレータ１４０のうちの少なくともいずれか一方を制御する点に特徴を有する。
【００４２】
また、ＨＶ−ＥＣＵ３２０は、予め定められた温度を基準とするジェネレータ１４０Ｂの絶縁性能の熱履歴の上限と変換された熱履歴と車両の走行距離とに基づいて車両の走行距離の上限を予測する。
【００４３】
具体的には、ＨＶ−ＥＣＵ３２０は、計算サイクル毎（サンプル時間毎）にコイル温度センサ３７０から受信するジェネレータ１４０Ｂのコイル温度を記憶する。サンプル時間の期間は、検出されたコイル温度でジェネレータ１４０Ｂが使用された期間（以下、熱履歴ともいう）を示す。ＨＶ−ＥＣＵ３２０は、得られたジェネレータ１４０Ｂの熱履歴をアレニウス則に従ってコイル温度が基準温度であるときにジェネレータ１４０Ｂが使用された期間（以下、基準温度に対応する熱履歴ともいう）に換算する。
【００４４】
なお、基準温度は、予め定められた温度であって、本実施の形態においては、たとえば、１５０℃であるとして説明するが、特にこれに限定されるものではない。
【００４５】
ＨＶ−ＥＣＵ３２０は、計算サイクル毎に算出される基準温度に対応する熱履歴を積算する。これにより、現在までの基準温度に対応する熱履歴の総和、すなわち、基準温度での使用期間を算出することができる。
【００４６】
ＨＶ−ＥＣＵ３２０は、基準温度に対応する熱履歴の上限値、すなわち、基準温度での使用可能期間を予めメモリ等に記憶している。ジェネレータ１４０Ｂの基準温度での使用可能期間は、実験等により設定されればよく、特に限定されるものではない。
【００４７】
ＨＶ−ＥＣＵ３２０は、積算された基準温度での使用期間と現在までの車両の走行距離と基準温度での使用可能期間とに基づいて車両の走行可能距離を算出する。ＨＶ−ＥＣＵ３２０は、予め走行寿命距離として利用者に対して保証された距離（以下、走行保証距離という）をメモリ等に記憶している。ＨＶ−ＥＣＵ３２０は、走行可能距離が走行保証距離を下回る場合に、ジェネレータ１４０Ｂの負荷が低下するようにエンジン１２０およびジェネレータ１４０Ｂのうちの少なくともいずれか一方を制御する。本実施の形態において、ＨＶ−ＥＣＵ３２０は、ジェネレータ１４０Ｂの負荷が低下するようにエンジン１２０およびジェネレータ１４０Ｂを制御する。
【００４８】
図２に、本実施の形態に係る車両の制御装置であるＨＶ−ＥＣＵ３２０の機能ブロック図を示す。ＨＶ−ＥＣＵ３２０は、入力インターフェース（以下、入力Ｉ／Ｆと記載する）３５０と、演算処理部４００と、記憶部５００と、出力インターフェース（以下、出力Ｉ／Ｆと記載する）６００とを含む。
【００４９】
入力Ｉ／Ｆ３５０は、コイル温度センサ３７０からのコイル温度信号と、車速センサ３３０からの車速信号とを受信して、演算処理部４００に送信する。
【００５０】
演算処理部４００は、熱履歴算出部４０２と、走行寿命予測部４０４と、寿命判定部４０６と、負荷低減処理部４０８とを含む。
【００５１】
熱履歴算出部４０２は、コイル温度センサ３７０からのコイル温度信号と、サンプル時間とに基づいて基準温度（１５０℃）に対応する熱履歴を算出する。そして、熱履歴算出部４０２は、算出された熱履歴を前回の計算サイクルまでに積算された熱履歴に加算する。
【００５２】
熱履歴算出部４０２は、上述のようにして、ジェネレータ１４０Ｂにおける現在までの基準温度での使用期間を算出する。
【００５３】
走行寿命予測部４０４は、走行寿命予測を実行する予め定められた条件が成立すると、現在までの基準温度での使用期間に基づいてジェネレータ１４０Ｂに基づく走行寿命を予測する。
【００５４】
具体的には、走行寿命予測部４０４は、予め定められた条件が成立すると、受信された車速とサンプル時間とから前回の計算サイクルから今回の計算サイクルまでの走行距離を算出して、前回の計算まで積算された走行距離に算出された走行距離を加算することにより現在までの車両の走行距離を算出する。「予め定められた条件」とは、たとえば、運転者の独自のパターンを判定することが可能な予め定められた期間が経過するという条件である。予め定められた期間は、たとえば、１または２ヶ月であってもよいし、１または２年であってもよいものとする。なお、走行期間の計測は、たとえば、車両のイグニッションスイッチがオンされる毎にイグニッションスイッチがオフされるまでの期間が積算されることにより行なわれるようにしてもよいし、予め定められた速度以上の車速が検出される期間が積算されることにより行なわれるようにしてもよい。また、走行期間の計測は、予め定められた期間の経過毎に初期値（たとえば、ゼロ）にリセットされるようにしてもよい。
【００５５】
走行寿命予測部４０４は、現在までの車両の走行距離と現在までの基準温度での使用期間とジェネレータ１４０Ｂにおける基準温度での使用可能期間とに基づいてジェネレータ１４０Ｂに基づく車両の走行寿命距離を予測する。たとえば、走行寿命予測部４０４は、使用期間と走行距離との比に基づいて使用可能期間に対する走行寿命距離を算出する。
【００５６】
寿命判定部４０６は、予測された走行寿命距離が走行保証距離以上であるか否かを判定する。なお、寿命判定部４０６は、たとえば、走行寿命距離が走行保証距離以上であると、寿命判定フラグをオンするようにしてもよい。
【００５７】
負荷低減処理部４０８は、予測された走行寿命距離が走行保証距離を下回ると、ジェネレータ１４０Ｂの負荷が低下するようにエンジン１２０およびジェネレータ１４０Ｂのうちの少なくともいずれか一方を制御する。
【００５８】
具体的には、負荷低減処理部４０８は、エンジン１２０の動作点が最適燃費線よりも低トルク側の動作点になるようにエンジン１２０を制御する。また、負荷低減処理部３０８は、出力（発電量）が低下するようにジェネレータ１４０Ｂを制御する。
【００５９】
通常、エンジン１２０は、図３に示すように、アクセルペダルの踏み込み量あるいはクルーズコントロール等により要求される出力に応じて最適燃費線を動作線として制御される。ここで、たとえば、エンジン１２０がＡ点で動作している場合を想定する。図３において、縦軸は、エンジントルクを示し、横軸は、エンジン回転数を示す。
【００６０】
負荷低減処理部４０８は、予測された走行寿命距離が走行保証距離を下回ると、エンジン１２０の動作点がＡ点からＡ点の等パワーライン上であって、低トルク側のＡ’点に移動するようにエンジン１２０を制御する。なお、Ａ’点は、Ａ点よりも低トルク側の動作点であれば、特に限定されるものではないが、少なくとも走行寿命距離が増加する動作点に設定される。負荷低減処理部４０８は、エンジン１２０の動作点がＡ点からＡ’点になるように出力Ｉ／Ｆ６００を経由してエンジンＥＣＵ２８０にエンジン制御信号を送信する。
【００６１】
また、エンジン１２０が図３に示す最適燃費線上のＡ点を動作点として制御されるとともに場合、ジェネレータ１４０Ｂは、図４に示すＢ点を動作点として制御される。図４において、縦軸は、ジェネレータ１４０Ｂの発電トルクを示し、横軸は、ジェネレータ１４０Ｂの回転数を示す。
【００６２】
負荷低減処理部４０８は、予測された走行寿命距離が走行保証距離を下回ると、ジェネレータ１４０Ｂの動作点がＢ点からＢ’点に移動するようにジェネレータ１４０Ｂを制御する。なお、負荷低減処理部４０８は、エンジン１２０の動作点をＡ点から低トルク側のＡ’点へ移動するとともに、ジェネレータ１４０Ｂの動作点をＢ点からＢ’点に移動するようにしてもよい。なお、Ｂ’点は、Ｂ点よりも低トルク側あるいは低回転数側の動作点であれば、特に限定されるものではないが、少なくとも走行寿命距離が増加する動作点に設定される。負荷低減処理部４０８は、ジェネレータ１４０Ｂの動作点がＢ点からＢ’点になるように出力Ｉ／Ｆ６００を経由してＭＧ−ＥＣＵ３００にジェネレータ制御信号を送信する。
【００６３】
また、本実施の形態において、熱履歴算出部４０２と、走行寿命予測部４０４と、寿命判定部４０６と、負荷低減処理部４０８とは、いずれも演算処理部４００であるＣＰＵが記憶部５００に記憶されたプログラムを実行することにより実現される、ソフトウェアとして機能するものとして説明するが、ハードウェアにより実現されるようにしてもよい。なお、このようなプログラムは記憶媒体に記録されて車両に搭載される。
【００６４】
記憶部５００には、各種情報、プログラム、しきい値、マップ等が記憶され、必要に応じて演算処理部４００からデータが読み出されたり、格納されたりする。
【００６５】
以下、図５を参照して、本実施の形態に係る車両の制御装置であるＨＶ−ＥＣＵ３２０で実行されるプログラムの制御構造について説明する。
【００６６】
ステップ（以下、ステップをＳと記載する）１００にて、ＨＶ−ＥＣＵ３２０は、検出されたコイル温度に基づいて基準温度（１５０℃）に対応する熱履歴を算出する。
【００６７】
Ｓ１０２にて、ＨＶ−ＥＣＵ３２０は、寿命の予測を実行する予め定められた条件が成立するか否かを判定する。予め定められた条件が成立すると（Ｓ１０２にてＹＥＳ）、処理はＳ１０４に移される。もしそうでないと（Ｓ１０２にてＮＯ）、処理はＳ１００に戻される。
【００６８】
Ｓ１０４にて、ＨＶ−ＥＣＵ３２０は、走行寿命距離を予測する。Ｓ１０６にて、ＨＶ−ＥＣＵ３２０は、予測された走行寿命距離が走行保証距離以上であるか否かを判定する。走行寿命距離が走行保証距離以上であると（Ｓ１０６にてＹＥＳ）、この処理は終了する。もしそうでないと（Ｓ１０６にてＮＯ）、処理はＳ１０８に移される。Ｓ１０８にて、ＨＶ−ＥＣＵ３２０は、負荷低減処理を実行する。
【００６９】
以上のような構成およびフローチャートに基づく本実施の形態に係る車両の制御装置であるＨＶ−ＥＣＵ３２０の動作について説明する。
【００７０】
サンプル時間毎にジェネレータ１４０Ｂのコイル温度が検出されて、検出されたコイル温度の熱履歴が基準温度に対応するジェネレータ１４０Ｂの熱履歴に変換される。変換された熱履歴が前回の計算において積算された熱履歴に加算されて基準温度での使用期間が算出される（Ｓ１００）。
【００７１】
前回走行寿命が予測されてから予め定められた期間が経過することにより、寿命予測を実行する予め定められた条件が成立すると（Ｓ１０２にてＹＥＳ）、基準温度での使用期間と基準温度での使用可能期間と現在までの走行距離とに基づいて走行寿命距離が予測される（Ｓ１０４）。
【００７２】
予測された走行寿命距離が走行保証距離を下回ると（Ｓ１０６にてＹＥＳ）、負荷低減処理が実施される（Ｓ１０８）。本実施の形態においては、エンジン１２０の動作点を低トルク側に移動させつつ、ジェネレータ１４０Ｂの出力が低下されるが、ジェネレータ１４０Ｂの負荷が低減されればよく、エンジン１２０およびジェネレータ１４０Ｂのうちの少なくともいずれか一方が制御されればよい。
【００７３】
以上のようにして、本実施の形態に係る車両の制御装置によると、検出されたコイル温度に基づく熱履歴を、基準温度に対応する熱履歴に変換することにより、基準温度での使用期間を算出することができる。検出された走行距離と使用期間と使用可能期間に基づいて走行寿命距離を予測することができる。予測された走行距離の上限が予め定められた走行距離よりも低いとジェネレータの負荷が低下するようにエンジンおよびジェネレータのうち少なくともいずれか一方を制御することにより、コイル温度の上昇を抑制することができるため、熱履歴の蓄積の度合を減少することができる。これにより、走行距離に対する熱履歴の蓄積の度合が減少するため、ジェネレータの絶縁性能の低下を抑制することができる。したがって、車両の使用状況に応じて回転電機の絶縁性能の低下を抑制する車両の制御装置、制御方法およびその方法をコンピュータで実現されるプログラムならびにそのプログラムを記録した記録媒体を提供することができる。
【００７４】
さらに、ジェネレータの出力（発電量）が低下するように制御されることにより、ジェネレータにおける負荷が低減される。そのため、走行距離に対する熱履歴の蓄積の度合が減少する。これにより、ジェネレータの絶縁性能の低下を抑制することができる。
【００７５】
さらに、出力を保持しつつ、最適燃費線よりも低トルク側になるようにエンジンを制御することにより、エンジンによるジェネレータの発電量が減少されるため、ジェネレータにおける負荷が低減される。そのため、走行距離に対する熱履歴の蓄積の度合が減少する。これにより、ジェネレータの絶縁性能の低下を抑制することができる。
【００７６】
なお、本実施の形態において、ＨＶ−ＥＣＵは、予測された走行寿命距離が走行保証距離を下回ると、エンジンの動作点を低トルク側に移動させつつ、ジェネレータの出力を低下するようにしたが、負荷低減処理としては、特にこれらの制御に限定されるものではない。たとえば、ＨＶ−ＥＣＵは、予測された走行寿命距離が走行保証距離を下回ると、ジェネレータにおけるＭＧ出力制限制御の開始温度を低下するようにしてもよい。
【００７７】
「ＭＧ出力制限制御」とは、ジェネレータの温度（コイル温度）と予め定められた負荷率制限マップとに基づいて出力を制限する制御である。負荷率制限マップは、たとえば、ジェネレータのコイル温度と負荷率（％）との関係を示すマップである。
【００７８】
負荷率制限マップにおいて、コイル温度が予め定められた温度に上昇するまでは、負荷率は、１００％に設定される。そのため、コイル温度が設定温度になるまで、ジェネレータの出力が制限されない状態となる。
【００７９】
さらに、負荷率制限マップにおいて、コイル温度が設定温度以上になると、負荷率は、コイル温度の増加とともに負荷率が減少するように設定される。そのため、コイル温度が増加するほど負荷率が減少して出力が制限された状態になる。
【００８０】
ＨＶ−ＥＣＵは、予測された走行寿命距離が走行保証距離を下回ると、走行寿命距離が走行保証距離以上となるＭＧ出力制限制御の開始温度（すなわち、上述の設定温度）をたとえば、マップ、数式あるいは表を用いて算出する。ＨＶ−ＥＣＵは、ジェネレータのＭＧ出力制限制御の開始温度を再設定する。なお、ＨＶ−ＥＣＵは、複数の負荷率制限マップから算出された開始温度に対応するマップを選択するようにしてもよい。
【００８１】
このようにすると、ジェネレータの負荷が増加してコイル温度が上昇したときに早期にジェネレータの負荷の制限を開始することができる。そのため、ジェネレータにおける負荷が低減されて、コイル温度の上昇が抑制される。これにより、走行距離に対する熱履歴の蓄積の度合が減少するため、ジェネレータの絶縁性能の低下を抑制することができる。
【００８２】
＜第２の実施の形態＞
以下、第２の実施の形態に係る車両の制御装置について説明する。本実施の形態に係る車両の制御装置は、上述の第１の実施の形態に係る車両の制御装置が搭載される車両の構成と比較して、コイル温度センサ３７０がモータＡのコイル温度を検出する点およびＨＶ−ＥＣＵ３２０の機能ブロックの動作が異なる。それ以外の構成は、上述の第１の実施の形態に係る車両の制御装置の構成と同じ構成である。それらについては同じ参照符号が付してある。それらの機能も同じである。したがって、それらについての詳細な説明はここでは繰り返さない。
【００８３】
本実施の形態において、車両は、少なくとも回転電機を駆動源とする車両であればよい。そのため、車両は、ハイブリッド車両、電気自動車あるいは燃料電池車であってもよい。
【００８４】
コイル温度センサ３７０は、モータ１４０Ａのコイル温度を検出する。コイル温度センサ３７０は、モータ１４０Ａのコイル温度に対応する信号をＨＶ−ＥＣＵ３２０に送信する。
【００８５】
熱履歴算出部４０２は、コイル温度センサ３７０からのコイル温度信号に基づいてモータ１４０Ａにおける現在までの基準温度での使用期間を算出する。なお、使用期間の算出方法は、上述の第１の実施の形態におけるジェネレータ１４０Ｂの使用期間の算出方法と同様のため、その詳細な説明を繰り返さない。
【００８６】
走行寿命予測部４０４は、予め定められた条件が成立すると、現在までの車両の走行距離と現在までの基準温度での使用期間とモータ１４０Ａにおける基準温度での使用可能期間とに基づいてモータ１４０Ａに基づく車両の走行寿命距離を予測する。なお、走行寿命距離の算出方法は、上述の第１の実施の形態におけるジェネレータ１４０Ｂの使用期間に基づく走行寿命距離の算出方法と同様のため、その詳細な説明は繰り返さない。
【００８７】
負荷低減処理部４０８は、予測された走行寿命距離が走行保証距離を下回ると、負荷が低下するようにモータ１４０Ａを制御する。
【００８８】
具体的には、負荷低減処理部４０８は、アクセルペダルの踏み込み量あるいはクルーズコントロール等による出力要求に対してモータ１４０Ａにおいて発現する駆動トルクを通常よりも低下させる。負荷低減処理部４０８は、駆動トルクの低下の態様として、たとえば、駆動トルクが予め定められた分だけ低下するようにモータ１４０Ａを制御するようにしてもよいし、予め定められた割合だけ低下するようにモータ１４０Ａを制御するようにしてもよいし、走行寿命距離が走行保証距離を下回る度合に応じて駆動トルクの低下量あるいは低下の割合を設定して、モータ１４０Ａを制御するようにしてもよい。低下量あるいは低下の割合は、少なくとも走行寿命距離が増加するように設定される。
【００８９】
負荷低減処理部４０８は、駆動トルクの指令値に対応するモータ制御信号を出力Ｉ／Ｆ６００を経由してＭＧ−ＥＣＵ３００に送信する。あるいは、負荷低減処理部４０８は、モータ１４０Ａの駆動トルクを低下する制御を実行する実行フラグをオンし、実行フラグがオンされるとＭＧ−ＥＣＵ３００が、駆動トルクを低下する制御を実行するようにしてもよい。
【００９０】
なお、負荷低減処理部４０８は、たとえば、寿命判定フラグがオンであると、負荷が低下するようにモータ１４０Ａを制御するようにしてもよい。
【００９１】
本実施の形態に係る車両の制御装置であるＨＶ−ＥＣＵ３２０で実行されるプログラムの制御構造は、図５で説明したフローチャートと同様であるため、その詳細な説明は繰り返さない。
【００９２】
以上のような構造およびフローチャートに基づく、本実施の形態に係る車両の制御装置であるＨＶ−ＥＣＵ３２０の動作について説明する。
【００９３】
サンプル時間毎にモータ１４０Ａのコイル温度が検出されて、検出されたコイル温度の熱履歴が基準温度に対応するモータ１４０Ａの熱履歴に変換される。変換された熱履歴が前回の計算において積算された熱履歴に加算されて基準温度での使用期間が算出される（Ｓ１００）。
【００９４】
前回走行寿命が予測されてから予め定められた期間が経過することにより、寿命予測を実行する予め定められた条件が成立すると（Ｓ１０２にてＹＥＳ）、基準温度での使用期間と基準温度での使用可能期間と現在までの走行距離とに基づいて走行寿命距離が予測される（Ｓ１０４）。
【００９５】
予測された走行寿命距離が走行保証距離を下回ると（Ｓ１０６にてＹＥＳ）、負荷低減処理が実施される（Ｓ１０８）。本実施の形態においては、モータ１４０Ａの出力が低下される。
【００９６】
以上のようにして、本実施の形態に係る車両の制御装置によると、上述の第１の実施の形態に係る車両の制御装置により発現する作用効果と同様の作用効果を有する。
【００９７】
なお、本実施の形態において、ＨＶ−ＥＣＵは、予測された走行寿命距離が走行保証距離を下回ると、モータの出力を低下するようにしたが、負荷低減処理としては、特にこれに限定されるものではない。たとえば、ＨＶ−ＥＣＵは、予測された走行寿命距離が走行保証距離を下回ると、モータにおけるＭＧ出力制限制御の開始温度を低下するようにしてもよい。ＭＧ出力制限制御については上述したとおりであるため、その詳細な説明は繰り返さない。
【００９８】
ＨＶ−ＥＣＵは、予測された走行寿命距離が走行保証距離を下回ると、走行寿命距離が走行保証距離以上となるモータのＭＧ出力制限制御の開始温度を算出する。そして、ＨＶ−ＥＣＵは、モータのＭＧ出力制限制御の開始温度を再設定する。
【００９９】
このようにすると、モータの負荷が増加してコイル温度が上昇したときに早期にモータの負荷の制限を開始することができる。そのため、モータにおける負荷が低減されて、コイル温度の上昇が抑制される。これにより、走行距離に対する熱履歴の蓄積の度合が減少するため、モータの絶縁性能の低下を抑制することができる。
【０１００】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０１】
【図１】本実施の形態に係る制御装置が搭載される車両の概略ブロック図である。
【図２】ＨＶ−ＥＣＵの構成を示す機能ブロック図である。
【図３】エンジンの回転数とエンジントルクとの関係を示す図である。
【図４】モータジェネレータの回転数とトルクとの関係を示す図である。
【図５】本実施の形態に係る車両の制御装置であるＨＶ−ＥＣＵで実行されるプログラムの制御構造を示すフローチャートである。
【符号の説明】
【０１０２】
１２０  エンジン、１２２  吸気通路、１２２Ａ  エアクリーナー、１２２Ｂ  エアフローメータ、１２２Ｃ  電子スロットルバルブ、１２４  排気通路、１２４Ａ  空燃比センサ、１２４Ｂ  三元触媒コンバータ、１２４Ｃ  触媒温度センサ、１２４Ｄ  消音器、１３０  燃料噴射装置、１４０  モータジェネレータ、１４０Ａ  モータ、１４０Ｂ  ジェネレータ、１６０  駆動輪、１８０  減速機、２００  動力分割機構、２２０  走行用バッテリ、２４０  インバータ、２４２  コンバータ、２６０  バッテリＥＣＵ、２８０  エンジンＥＣＵ、３００  ＭＧ−ＥＣＵ、３２０  ＨＶ−ＥＣＵ、３３０  車速センサ、３５０  入力Ｉ／Ｆ、３６０  水温センサ、３７０  コイル温度センサ、３８０  クランクポジションセンサ、４００  演算処理部、４０２  熱履歴算出部、４０４  走行寿命予測部、４０６  寿命判定部、４０８  負荷低減処理部、５００  記憶部、６００  出力Ｉ／Ｆ。
【図１】
2009095143.tif 000003
【図２】
2009095143.tif 000004
【図３】
2009095143.tif 000005
【図４】
2009095143.tif 000006
【図５】
2009095143.tif 000007